(57)【特許請求の範囲】
【請求項１】
台板に杆体を植設し、
杆体の上端部へ支持杆の基端部を水平方向へ傾動調節可能に固定し、
溝杆を前記杆体に対して傾度可変に前記支持杆の先端部へ垂直方向で固定し、
本を支持する固定支板を前記溝杆の下端側に取り付け、
前記本を前記固定支板と共に支持する可動支板を、前記溝杆の上端側である前記固定支板の上方で、前記固定支板に対して接近する方向及び前記固定支板から離れる方向に移動可能に、前記溝杆の上端側に取り付け、
前記固定支板の下縁部及び前記可動支板の上縁部における、前記固定支板及び前記可動支板の上下方向に直交する左右方向で互いに対向する位置に、それぞれ、前記固定支板及び前記可動支板に支持される前記本の裏表カバーを支持する裏表カバー支持片を設け、
前記固定支板及び前記可動支板における前記裏表カバー支持片が配置されている位置より前記左右方向において内側にあたる前記固定支板下縁部及び前記可動支板上縁部に、それぞれ、上下方向の長さが前記裏表カバー支持片の上下方向長さより短い、前記固定支板及び前記可動支板に支持される前記本の各頁を支持する頁支持片を設けた
ことを特徴とする書見台。
【請求項２】
支持杆と溝杆とを自在継手で連結したことを特徴とする請求項１記載の書見台。
【発明の詳細な説明】
【技術分野】
【０００１】
この発明は、本を見る者が正座し、又は仰臥し或いは他の姿勢であっても使用し得る書見台であって、見る人が身体位置を変えた場合であっても、本の位置を対応させ、所望の頁を確実に開き、紙面を見やすくできるようにした、星座又は仰臥その他の姿勢で読書する場合に本を支持できる書見台に関する。
【背景技術】
【０００２】
従来、仰臥用の書見台としては、仰向けで寝ている場合に、顔の上方に本の支持台を角度可変に支持した書見台（特許文献１）又は書見台に、見る物に対して遠近、上下及び角度可変の支持台を設けた書見台（特許文献２）又は垂直支持棒に書見台を回転可能に軸支した書見台（特許文献３）などの構造が提案されている
【先行技術文献】
【特許文献】
【０００３】
【特許文献１】特開２００６−１０１９６４号公報
【特許文献２】特開２００１−１６９８３５号公報
【特許文献３】実開平６−３８６７４号公報
【発明の概要】
【発明が解決しようとする課題】
【０００４】
従来、本の大小に応じて確実に保持し、かつ頁をめくった場合に、このページを確実に開いた状態で保持するなど、本の頁が次々にめくられる場合の配慮が十分でなかった。
【０００５】
また、本の大小に対応して、文庫本から通常の大判本まで対応できる書見台は少なく、正座し、仰臥し、その両用に使用し得るなどの自由度が少なく又は自由度の範囲がせまいものと認められた。
【課題を解決するための手段】
【０００６】
この発明は、本の大きさ（誌面の広さ、高さ、幅）の変化に対応し、通常販売されている大きな本であっても、厚くても、薄くても何れも確実に支持できるようにし、かつ読書の色々の姿勢に対応し得るようにして前記従来の問題点を解決したのである。
【０００７】
即ち、この発明は、本の大きさに対応するために、支持板を上下二つで形成して、該支持板を上下方向へ移動かつ固定可能とし、本の幅は通常発行されている本の最大幅が十分支持できる幅を持った支持板の縁部に押え片を設けて、各頁を支持し得るようにしてある。
【０００８】
また、前後、左右の傾角は調節自在で支持位置も上下自在としたものであって、実質的に本を手で持って読みやすい位置に調節できるすべての位置に本を設置できるようにしたものである。即ち、支持板は上下巾調整自在、左右は十分な大きさとし、回転角自在とすることにより書見台の各種問題点を解決したのである。
【発明の効果】
【０００９】
この発明によれば、主杆を昇降自在にしたので、本の大小に応じ、又は視線の位置に正確に対応して支持することができる。また、支持杆を回転可能に取り付けたので、支持した本の角度を取付溝の全長にわたって自由に調節することができる。また、支持杆の角度を調節することによって、本の上下方向の支持角度（傾角）を自由に調節することができる。
【００１０】
前記のように、支板の上下、左右及び前後の角度並びに支板の高さを自由に調節できるので、読者と本との対面角度を自由かつ容易に調節できるので、正座、仰臥その他の姿勢に対して、読者と本との距離及び視線角度を調節して最良の状態で読書できる効果がある。
【００１１】
また、頁をめくった場合には、これを１頁宛順次止めることができる効果がある。
【図面の簡単な説明】
【００１２】
【図１】この発明の実施例の正面図。
【図２】同じく背面図。
【図３】同じく側面図。
【図４】同じく正面視で上下部支板の傾動を示す説明図。
【図５】同じく他の実施例の側面図。
【発明を実施するための形態】
【００１３】
この発明は、台板上に長さ可変の主杆を直立に設置し、前記主杆の上端部へ支持杆の基端を回転可能に固定し、該支持杆の先端へ同心溝を設けた固定板を垂直に固定する。
【００１４】
前記支持杆の先端側へ、支持軸を突設し、該支持軸へ本を支持する溝杆を回転角設定可能に取り付け、前記溝杆の全長にわたって取付溝を設け、前記取付溝の下部に、本の下部支板を固定し、前記取付溝の上部に本の上部支板を上下摺動自在に取り付け、前記上部支板の上縁及び下部支板の下縁に、本の上下縁を支持する支持片を前記上下部支持板とほぼ直角に突設し、この発明の書見台を構成する。
【００１５】
前記のように、上部支板は、溝杆に沿って移動できるので、本の大きさに対応させ、本の上下縁部を確実に支持することができる。
【実施例１】
【００１６】
この発明の実施例を図１乃至４に基づいて説明する。この発明の各部は金属板（例えば鉄板）より成形するものとする。ただし、本と接触する部分は、鉄板に代えて木板又は人造木質板（例えば木材チップの成形板）、あるいは合成樹脂板を用いる場合もあるが、原則的に材質に限定はない。
【００１７】
円形の台板１の中央部に、断面四角形の軸杆２を直立に設置し、軸杆２へ断面四角形の主杆３を矢示２０、２１のように昇降可能に嵌装して（鎖線図示のように上昇）、止めねじ４により軸杆２へ主杆３を固定する（各部の材質に限定はない）。
【００１８】
主杆３の上端部へ、支持杆５の基端を止めねじ６により締付けて支持杆５を水平に固定する。支持杆５は水平方向を基準とし、上方又は下方の斜方向に向けて回動させて、止めねじ６により固定することができる。
【００１９】
支持杆５の先端部に弧状溝７を有する円板８が支持杵５へ直角に固定され、円板８の中央部へ溝杆９が軸１０で回転可能に取り付けられる。したがって、溝杆９は、止めねじ６を中心にし、支持杆５を介して矢示１１又は１２の方向へ回動する。また、軸１０を中心にして、弧状溝７、７の範囲で矢示２４，２５のように回動し、止めねじ１３によって適切な位置に固定される。
【００２０】
また、溝杆９の下端部には、溝杆９の下部に沿って本を支持できる下部支板１４が固定され、該下部支板１４の上方へ、本を支持できる上部支板１４ａが矢示１６、１７のように昇降自在に溝杆９へ取り付けられており、本の大きさに対応させてある。図中１５、１５は本の表裏カバーの支持片、１８、１８は下部支板１４の下縁部及び上部支板１４ａの上縁部へ固定された本の各頁の支持片、１９は筆記具その他小物の載置片、２６は庇片である。
【００２１】
前記のように、下部支板１４と上部支板１４ａとにより本を支持するが、上部支板１４ａは昇降自在としたので、本の丈に大小があっても容易に対応させることができる。前記下部支板１４と上部支板１４ａの左右縁部には支持片が設けられていないから、大きな本でもそのまま対応することができる。
【００２２】
また、本の支持角度は、止めねじ６を弛めて、支持杆５を回動して矢示１１、１２のように調節し、本の丈の大小に対しては上部支板１４ａを矢示１６、１７のように移動させて対応させることができる。
【実施例２】
【００２３】
この発明の他の実施例を図５に基づいて説明する。台板１へ軸杆２を植設し、軸杆２へ主杆３を昇降可能に嵌装する。主杆３の上部へ支持杆５の基端部を止めねじ６により水平に対し任意の角度に固定する（図５）。
【００２４】
支持杆５の先端の中空の球軸受け２３へ溝杆９の軸球２２を回転自在に嵌合し、溝杆９の下部へ下部支板１４を固定し、溝杆９の上部へ下部支板１４と面一の上部支板１４ａを摺動自在に装着する。従って上部支板１４ａは丈に対応してその位置を決め、本を確実に保定させることができる。
【００２５】
前記において、球軸受け２３と軸球２２とは自在継手であるから、溝杆９（したがって上下部支板１４、１４ａ）は前後左右に傾動し、本を読者の視線に合わせて容易に調節できるので、本と読者とは常時最良の対面状態が保たれ、快適に読書を継続することができる。前記球軸受けは摩擦により定めた位置を保つことが出来るが、止めねじ２７により固定することもできる。
【符号の説明】
【００２６】
１  台板
２  軸杆
３  主杆
４、６、１３、２７  止めねじ
５  支持杆
７  弧状溝
８  円板
９  溝杆
１０  軸
１４  下部支板
１４ａ  上部支板
１８  本の各頁の支持片
【要約】
【課題】  この発明は、読者の視線に対し、本を適切な位置に対応させることを目的としたものである。
【解決手段】
台板に杆体を植設し、杆体の上端部へ支持杆の基端部を角度調節可能に固定し、前記支持杆の先端部へ、溝杆を垂直方向に固定し、前記溝杆へ本の支持板を取り付け、前記支持板の縁部へ本の支持片を設けた書見台により上記課題を解決した。
【選択図】図１【図１】
0005487279.tif 000002
【図２】
0005487279.tif 000003
【図３】
0005487279.tif 000004
【図４】
0005487279.tif 000005
【図５】
0005487279.tif 000006